(57)【要約】【課題】      レーザ投射器を用いて墨だし作業を行う際、極めて簡単な構造で、かつ正確に位置決めできるレーザ位置決め装置を提供する。【解決手段】  装置本体１０の前面略中央に取付け板１３が形成されている。取付け板１３の上面に反射体２０が固定されている。反射体２０は、内部に水が充填された透明なガラスで球状に形成され、前方側の半球状の部分がレーザ光を受光する受光面２１となっている。装置本体１０の反射体２０と対応する部位には鏡部材３０が設けられており、反射体２０を透過してきたレーザ光を反射できるようになっている。装置本体１０の中央部には、垂直方向に中心線１４が形成されている。中心線１４は、反射体２０の受光面２１における水平方向の中心ａと一致するように設定されている。装置本体１０の上端及び左端には、それぞれ水平用水準器４０及び垂直用水準器５０が設けられている。【選択図】    図１
2010066190.tif 000002
【特許請求の範囲】
【請求項１】
レーザ投射器から投射されたレーザ光の少なくとも一部を反射するとともに受光面が球体又は球体の一部を切り取った形状に形成された反射体と、該反射体が設けられた装置本体と、該装置本体に形成された受光面の中心を示す中心線とを有することを特徴とするレーザ位置決め反射装置。
【請求項２】
前記反射体がレーザ光を反射及び透過させるガラス又はプラスチックで形成されていることを特徴とする請求項１記載のレーザ位置決め反射装置。
【請求項３】
前記反射体が中空に形成されていることを特徴とする請求項１又は２記載のレーザ位置決め反射装置。
【請求項４】
前記反射体内に液体が充填されていることを特徴とする請求項３記載のレーザ位置決め反射装置。
【請求項５】
前記反射体が中実に形成されていることを特徴とする請求項１又は２記載のレーザ位置決め反射装置。
【請求項６】
前記受光面が鏡面で形成されていることを特徴とする請求項１記載のレーザ位置決め反射装置。
【請求項７】
前記反射体の背面に鏡部材が設けられていることを特徴とする請求項１、２、３、４又は５記載のレーザ位置決め反射装置。
【請求項８】
前記装置本体に水準器が設けられていることを特徴とする請求項１、２、３、４、５、６、７記載のレーザ位置決め反射装置。
【発明の詳細な説明】
【技術分野】
【０００１】
本発明は、建築物や構築物等を建築又は構築する際の墨出し作業に用いるレーザ位置決め反射装置に関し、さらに詳しくは、レーザ投射器から投射されたレーザ光を反射し、その反射光を視認することにより位置決めを行うレーザ位置決め反射装置に関するものである。
【背景技術】
【０００２】
一般に、建築現場等において墨出し作業を行うには、２つの基準点の一方にレーザ投射器を設置するとともに、他方の基準点にレーザ受光器を用意し、一人作業者がレーザ投射器からレーザ光を受光器に向かって投射するとともに、もう一人の作業者が受光器によるレーザ光の受光を確認するものであった。このとき、屋外の現場においては、レーザ投射器とレーザ受光器との間は相当の距離があり、レーザ受光器側の作業者が、レーザ光を視認しつつレーザ投射器側の作業者にレーザ光の投射方向を指示することにより、レーザ光がレーザ受光器に受光出来るように調節するものであった。
【０００３】
したがって、墨出し作業を行うには、レーザ投射器側とレーザ受光器側とに作業者が必要であり、従来、一人の作業者で墨出し作業を行うように出来ることが要望されていた。
【０００４】
そこで、従来、墨出し作業を一人の作業者で行えるように、レーザ光学装置を遠隔操作する遠隔操作信号を送信する送信手段と、レーザ光受光面中心との差を演算する演算手段とを備え、レーザ光を受光面中心へ回転させる遠隔操作信号を送信手段による送信する受光装置を有するレーザ位置決め装置が提案されていた（例えば、特許文献１参照）。
【０００５】
【特許文献１】特開２００３−３５５３９号公報
【発明の開示】
【発明が解決しようとする課題】
【０００６】
しかしながら、上述したレーザ位置決め装置は、電子回路等を用いた構造が複雑なものであり、極めて高価なものとなっていた。また、精密装置であることから、故障を起こしやすいものであった。
【０００７】
本発明は、以上の問題点を解消し、電子回路等の電気を必要としない省エネルギーで極めて簡単な構造でレーザ光の受光を確認でき、かつ、レーザ投射器側の作業者一人で墨出し作業を行えるレーザ位置決め反射装置を提供することを目的とする。
【課題を解決するための手段】
【０００８】
本発明者は、上記問題点について鋭意検討し、レーザ受光器として、レーザ光を反射する球体状のものを用いると、レーザ投射器側の作業者がレーザ光の受光を視認による容易に確認できることを見出し、本発明を完成させたものである。
【０００９】
請求項１に係るレーザ位置決め反射装置は、レーザ投射器から投射されたレーザ光の少なくとも一部を反射するとともに受光面が球体又は球体の一部を切り取った形状に形成された反射体と、該反射体が設けられた装置本体と、該装置本体に形成された受光面の中心を示す中心線とを有することを特徴として構成されている。
【００１０】
請求項２に係るレーザ位置決め反射装置は、請求項１記載において、反射体がレーザ光を反射及び透過させるガラス又はプラスチックで形成されていることを特徴として構成されている。
【００１１】
請求項３に係るレーザ位置決め反射装置は、請求項１又は２記載において、反射体が中空に形成されていることを特徴として構成されている。
【００１２】
請求項４に係るレーザ位置決め反射装置は、請求項３記載において、反射体内に液体が充填されていることを特徴として構成されている。
【００１３】
請求項５に係るレーザ位置決め反射装置は、請求項１又は２記載において、反射体が中実に形成されていることを特徴として構成されている。
【００１４】
請求項６に係るレーザ位置決め反射装置は、請求項１記載において、受光面が鏡面で形成されていることを特徴として構成されている。
【００１５】
請求項７に係るレーザ位置決め反射装置は、請求項１、２、３、４又は５記載において、反射体の背面に鏡部材が設けられていることを特徴として構成されている。
【００１６】
請求項８に係るレーザ位置決め反射装置は、請求項１、２、３、４、５、６又は７記載において、装置本体に水準器が設けられていることを特徴として構成されている。
【発明の効果】
【００１７】
請求項１に係るレーザ位置決め反射装置によれば、反射体が、レーザ投射器から投射されたレーザ光の少なくとも一部を反射するので、レーザ光は反射体によりレーザ投射器方向へ反射されるので、レーザ投射器側の作業者が反射光を視認することが出来る。また、反射体の受光面は、球体又は球体の一部を切り取った形状に形成されているので、レーザ投射器から投射されたレーザ光は、受光面の中心の一点に投射された際、その中心点はレーザ光の入射方向に対して略９０度となっているので、中心点において１８０度反射されることとなる。したがって、中心点から反射されたレーザ光は輝度が高く、白昼であっても明瞭に視認することができる。また、受光面の中心から外れた部位にレーザ光が入射した際は、その入射面は、レーザ光の入射方向に対して９０度を超える大きな角度となっているので、反射光は斜め外方向に反射し、レーザ投射器の作業者は視認できないものである。したがって、レーザ光の投射方向をずらせて行くことにより、レーザ光が中心に入射したときのみ、反射光を明瞭に視認することができる。その結果、装置本体に形成された受光面の中心を示す中心線を、所望の基準点に合致させておくことにより、位置決めが出来ることとなる。
【００１８】
請求項２に係るレーザ位置決め反射装置によれば、反射体がレーザ光を透過させるガラス又はプラスチックで形成されているので、入射したレーザ光の全てを反射することは出来ないが、安価に提供することが出来る。
【００１９】
請求項３に係るレーザ位置決め反射装置によれば、反射体が中空に形成されているので、安価に提供することができる。
【００２０】
請求項４に係るレーザ位置決め反射装置によれば、中空の反射体内に液体が充填されているので、反射体内部に侵入したレーザ光の屈折が小さくなるので、透過したレーザ光の分散が小さくなり、中空の場合より反射光の視認性が向上している。
【００２１】
請求項５に係るレーザ位置決め反射装置によれば、反射体が中実に形成されているので、極めて安価に提供することができる。
【００２２】
請求項６に係るレーザ位置決め反射装置によれば、受光面が鏡面に形成されているので、レーザ光を確実に反射することが出来る。
【００２３】
請求項７に係るレーザ位置決め反射装置によれば、反射体の背面に鏡部材が設けられているので、反射体を透過したレーザ光が鏡部材で反射され、再びレーザ投射器方向へ反射して行くので、レーザ投射器方向への反射光は、反射体の表面で反射された反射光と、鏡部材で反射された反射光との両者となる。したがって、レーザ投射器の作業者は、反射光を極めて明瞭に視認することができる。
【００２４】
請求項８に係るレーザ位置決め反射装置によれば、装置本体に水準器が設けられているので、装置本体の水平を簡単に取ることが出来る。
【発明を実施するための最良の形態】
【００２５】
本発明によるレーザ位置決め反射装置においては、レーザ投射器から投射されたレーザ光をレーザ投射器方向へ反射する反射体が設けられている。反射体は、レーザ投射器から投射されたレーザ光の少なくとも一部を反射するものであれば良く、その一部の反射においても作業者が視認できるものである。例えば、鏡面に形成したり、ガラス、アクリル等のプラスチックで形成することができる。鏡面に形成する場合、金属を鏡面に仕上げたものであってもよい。ガラス又はプラスチックで形成する場合、無色の略透明であることが好ましいが、所望の色に彩色したものであっても、反射光を視認できる限り用いることが出来る。
【００２６】
反射体の受光面は、球体又は球体の一部を切り取った形状に形成されている。球体の一部を切り取った形状とは、特に限定されず、受光面において円弧面となっていればよく、例えば、半球状とすることができる。また、球体としては、真円に限定されるものでなく、楕円であってもよい。
【００２７】
反射体は装置本体に設けられており、この装置本体には、受光面の中心を示す中心線が形成されている。受光面の中心は、受光面において、レーザ投射器方向に最も近接した部位であり、レーザ光の入射方向に対して、略９０度の角度の面となっている部位である。すなわち、この中心において、入射したレーザ光が１８０度の角度で反射されるものである。
【００２８】
装置本体の中心線は、現場の所定の基準点に合致して装置本体を設置するためのものであり、中心線と基準点とを合致して装置本体を設置することにより、反射体の受光面の中心と、基準点とが一致するものである。
【００２９】
本発明によるレーザ位置決め反射装置の一実施形態を図面を参照して説明する。図１はレーザ位置決め反射装置の正面図、図２はレーザ位置決め反射装置の側面図、図３はレーザ位置決め反射装置による墨出し作業の概略図である。
【００３０】
これらの図に示すレーザ位置決め反射装置１おいて、１０は装置本体で、この装置本体１０の下面には一対の脚部１１が設けられている。この脚部１１の先端側（図中上側）は雄螺子ネジ（図示せず）が形成されており、装置本体１０に形成された目螺子に螺着している。したがって、脚部１１を回転させることにより、脚部１１の長さを調整できるので、土間などの不陸な場所であっても両方の脚部１１の長さを調整することにより水平を確保することができる。また、脚部１１の下端には、平板状をした安定板１２が形成されており、装置本体１０を安定して設置できるようになっている。
【００３１】
装置本体１０の前面略中央には前方へ突出した取付け板１３が形成されており、この取付け板１３の上面に反射体２０が固定されている。この反射体２０は、内部に水が充填された透明なガラスで球状に形成されたもので、その前方側の半球状の部分がレーザ光を受光する受光面２１となっている。また、装置本体１０の反射体２０と対応する部位には鏡部材３０が設けられており、反射体２０を透過してきたレーザ光を反射できるようになっている。さらに、装置本体１０の中央部には、垂直方向に中心線１４が形成されており、この中心線１４は、反射体２０の受光面２１における水平方向の中心ａと一致するように設定されている。
【００３２】
装置本体１０の上端及び左端には、それぞれ水平用水準器４０及び垂直用水準器５０が設けられており、装置本体１０を地面等に設置した際は、水平用水準器４０で水平を確保し、壁等に設置した際は、垂直用水準器５０で水平を確保できるようになっている。
【００３３】
以上のようなレーザ位置決め反射装置で墨出し作業を行うには、図３に示すように、まず、所定の２つ基準点の内、一方の基準点Ａにレーザ投射器６０を設置するとともに、他方の基準点Ｂにレーザ位置決め反射装置１を設置するが、この際、レーザ投射器６０のレーザ投射口６１を基準点Ａと一致させるとともに、装置本体１０の中心線１３（中心ａ）を基準点Ｂと一致させる。したがって、基準点Ａ、レーザ投射口６１、基準点Ｂ、中心線１４及び中心ａが、略一直線上に位置した状態となっている。
【００３４】
次に、レーザ投射器６０よりレーザ光７０を投射する。このとき、レーザ投射口６１が基準点Ａと基準点Ｂとを結ぶ線分に直角であると、レーザ光７０は、図３中実線で示すように、反射体２０の受光面２１の中心ａに垂直に入射することになるので、その一部は中心ａにより１８０度反射される。また、反射されずに反射体２０内に入射したレーザ光７０は、そのまま直進し反射体２０外に出るが、鏡部材３０により１８０度反射される。したがって、投射されたレーザ光７０の略全てがレーザ投射口６１方向へ反射されるので、レーザ投射器６０を操作している者は、容易に反射光を視認することができ、位置決めが正確であることを確認することができる。
【００３５】
また、レーザ投射口６１のレーザ光７０の投射方向が中心ａからずれていると、図３中一点鎖線で示すように、レーザ光７０は受光面２１の中心ａからずれた位置に入射することになる。したがって、レーザ光７０は１８０度反射することなく、横方向へ反射することになるので、レーザ投射器６０を操作している者は反射光を視認することができない。
【００３６】
以上のように、レーザ光７０が中心ａに入射した時のみ反射光を視認でき、レーザ光７０が中心ａからずれた時は反射光を視認することが出来ないので、レーザ投射口６１を水平方向に回転させて反射光を探すことにより、正確な位置決めを容易に認識することが出来る。
【図面の簡単な説明】
【００３７】
【図１】本発明によるレーザ位置決め反射装置の一実施形態の正面図
【図２】本発明によるレーザ位置決め反射装置の一実施形態の側面図
【図３】本発明によるレーザ位置決め反射装置の墨出し作業の概略図
【符号の説明】
【００３８】
１    レーザ位置決め反射装置
１０  装置本体
２０  反射体
２１  受光面
３０  鏡部材
４０  水平用水準器
５０  垂直用水準器
６０  レーザ投射器
【図１】
2010066190.tif 000003
【図２】
2010066190.tif 000004
【図３】
2010066190.tif 000005